(57)【要約】      （修正有）【課題】幅広な端子を細い電線端末に接続している電線付き端子を、端子収容室に挿入する場合に用いる治具を提供する。【解決手段】電線端末に接続する電線接続部３の前端に電気接触部を連続させた端子１０を端子収容室３２に挿入する端子挿入治具１であって、端子保持部２と電線保持部３とを前後方向に連続させて一体で設けており、前記端子保持部２は、前端面が前記電気接触部の後端面に当接すると共に、該端子１０を挿入する電気接続箱またはコネクタの端子収容室内３２に挿入可能な外形とし、前記電線保持部３は、前記端子保持部２の後端に連続する環状枠であり、前記端子保持部２に前記端子１０の電線接続部１２を収容すると共に該端子１０に連続する電線２０を前記電線保持部３に収容した状態で該電線保持部３の後側を作業員が把持して電線付き端子を前記端子収容室に挿入し、前記端子１０を係止した後に前記端子収容室３２より取り出すものとしている。【選択図】図７
2015141745.tif 000002
【特許請求の範囲】
【請求項１】
電線端末に接続する電線接続部の前端に幅を広げた電気接触部を連続させた端子を端子収容室に挿入する端子挿入治具であって、
端子保持部と電線保持部とを前後方向に連続させて一体で設けており、
前記端子保持部は、前後両端および上端が開口する凹型枠で、前記端子の電線接続部を内嵌保持すると共に該端子に連続する電線を挿通できる大きさとし、かつ、前端面が前記電気接触部の後端面に当接すると共に、該端子を挿入する電気接続箱またはコネクタの端子収容室内に挿入可能な外形とし、
前記電線保持部は、前記端子保持部の後端に連続する環状枠であり、
前記端子保持部に前記端子の電線接続部を収容すると共に該端子に連続する電線を前記電線保持部に収容した状態で該電線保持部の後側を作業員が把持して電線付き端子を前記端子収容室に挿入し、該端子収容室内の被係止部に前記端子の係止部を係止した後に、前記端子収容室より取り出すものとしていることを特徴とする端子挿入治具。
【請求項２】
前記電線保持部は、円環枠、または半円環枠からなる本体に蓋となる半円環枠をヒンジで連結し、前記本体に電線を収容した状態で蓋をかぶせて円筒枠として止着可とし、該電線保持部の長さは３ｃｍ〜７ｃｍとし、かつ、該電線保持部の内面を平滑面、凹凸面または波形面としている請求項１に記載の端子挿入治具。
【請求項３】
前記端子保持部の長さは端子の電線接続部の長さと同等な長さとし、該電線接続部を端子保持部に内嵌した状態で、該端子の電線接続部の前端から幅方向の両側で広がる電気接触部の後端に前記端子保持部の前端を当接させ、端子挿入治具の前進時に端子の電気接触部を前進させるものとしている請求項１または請求項２に記載の端子挿入治具。
【請求項４】
前記端子保持部および電線保持部に収容する電線付き端子の電線は、芯線断面積が０．１３ｍｍ２〜０．３５ｍｍ２である一方、該電線端末に接続する端子は電線接続部の幅方向寸法より電気接触部の幅方向寸法が大きいものである請求項１乃至請求項３のいずれか１項に記載の端子挿入治具。
【請求項５】
前記電線付き端子を挿入する端子収容室は、自動車に搭載されるリレーボックス、ヒューズボックスまたはジャンクションボックスからなる電気接続箱に設けた端子収容室、またはコネクタの端子収容室である請求項１乃至請求項４のいずれか１項に記載の端子挿入治具。
【発明の詳細な説明】
【技術分野】
【０００１】
本発明は端子挿入治具に関し、詳しくは、電線端末に接続した端子をリレーボックス等の電気接続箱の端子収容室あるいはコネクタの端子収容室に挿入する際に用いる治具に関するものである。
【背景技術】
【０００２】
従来、自動車等の車両に搭載されるリレーボックス、ジャンクションボックス等の電気接続箱に取り付けられるリレーやヒューズと接続するために、該電気接続箱の外壁に開口させた端子収容室（キャビティ）に電線端末に接続した端子を作業員が把持して挿入する場合がある。その場合、図９（Ａ）に示すように、電気接続箱１００の端子収容室の端子挿入口の近傍に電線Ｗが密集し、図９（Ｂ）に示すように、挿入する電線１０１の端末の端子１０２を作業員が把持して挿入することが困難となる。かつ、図９（Ｃ）に示すように、細い電線１０１に対して、端末に接続する端子１０２が大きい場合に、挿入時に電線１０１を把持すると、図９（Ｄ）に示すように、端子１０２が首折れ状態になるように電線１０１の先端側に座屈が発生する場合が多い。該現象はリレーボックス等に限らず、大型の多極コネクタに電線端末の端子を挿入する場合にも発生する。  
【０００３】
従来、特開２００６−１２７２４号公報において、図１０に示す電線付端子の挿入装置２００が提案されている。該装置では、電線付き端子２０１を把持する端子把持部２０２を、シリンダ等が内蔵された端子把持アクチュエータ２０３で動作し、該端子把持アクチュエータ２０３に端子仮挿入手段２０４を設けると共に、端子本挿入手段２０５と連結し、該端子本挿入手段２０５は端子押込部材２０６、端子押込部材昇降機構２０７および端子押込部材進退機構２０８を備える構成とされている。
前記装置で電線付き端子２０１を端子把持部２０２で把持してコネクタハウジング２１０に挿入する構成とされている。
【先行技術文献】
【特許文献】
【０００４】
【特許文献１】特開２００６−１２７２４号公報
【発明の概要】
【発明が解決しようとする課題】
【０００５】
前記図１０に示し端子挿入装置は、構成が複雑で且つ大型であるためコスト高になる。かつ、電線を１本づつ端子把持部２０２で把持させてアクチュエータで動作させると、作業時間がかかる問題がある。さらに、電線が密集した部位に前記端子押込部材２０６の屈折した先端部を位置させて端子に押し当て、この状態で端子を移動させる動作が精度良く行えない恐れもある。
【０００６】
本発明は前記問題に鑑みてなされたもので、特許文献１で提案されている挿入装置のような複雑で大型な装置ではなく、簡単な構造で、簡単に使用できる端子挿入治具を提供することを課題としている。
【課題を解決するための手段】
【０００７】
前記課題を解決するため、本発明は、電線端末に接続する電線接続部の前端に幅を広げた電気接触部を連続させた端子を端子収容室に挿入する端子挿入治具であって、
端子保持部と電線保持部とを前後方向に連続させて一体で設けており、
前記端子保持部は、前後両端および上端が開口する凹型枠で、前記端子の電線接続部を内嵌保持すると共に該端子に連続する電線を挿通できる大きさとし、かつ、前端面が前記電気接触部の後端面に当接すると共に、該端子を挿入する電気接続箱またはコネクタの端子収容室内に挿入可能な外形とし、
前記電線保持部は、前記端子保持部の後端に連続する環状枠であり、
前記端子保持部に前記端子の電線接続部を収容すると共に該端子に連続する電線を前記電線保持部に収容した状態で該電線保持部の後側を作業員が把持して電線付き端子を前記端子収容室に挿入し、該端子収容室内の被係止部に前記端子の係止部を係止した後に、前記端子収容室より取り出すものとしていることを特徴とする端子挿入治具を提供している。
【０００８】
本発明の端子挿入治具の電線保持部は、円環枠、または半円環枠からなる本体に蓋となる半円環枠をヒンジで連結し、前記本体に電線を収容した状態で蓋をかぶせて円筒枠として止着可とし、
該電線保持部の長さは３ｃｍ〜７ｃｍ、好ましくは３ｃｍ〜５ｃｍとし、
かつ、該電線収容部の内面を平滑面、凹凸面または波形面としている。
【０００９】
前記電線保持部は、端子に連続する電線を直線状に保持でき円環状枠であれば良いが、電線を確実に保持できる円筒状とすると、電線を保持した状態で、該挿入治具が傾いたとしても電線は脱落しない。よって、円筒を２つ割りで開いた状態とし、前記半円環枠からなる本体に電線を保持した状態で蓋をかぶせて円筒枠とすることが好ましい。
該電線保持部の内面に凹凸を設け又は波形状とすると、電線を滑りにくくして、保持力を高めることができる。かつ、電線の外周面に密着する平滑面としても保持力を高めることができる。
【００１０】
また、前記端子挿入治具の端子保持部の長さは端子の電線接続部の長さと同等な長さとし、該電線接続部を端子保持部に内嵌した状態で、該端子の電線接続部の前端から幅方向の両側で広がる電気接触部の後端に前記端子保持部の前端を当接させ、端子挿入治具の前進時に端子の電気接触部を前進させるものとしている。
よって、端子挿入治具に保持された端子が端子収容室内に挿入係止された状態となると、端子挿入治具を前進させても、該端子挿入治具の前端（端子保持部の前端）が端子の電気接触部と当接して停止される一方、電線保持部を後方へ引っぱると、端子挿入治具だけを端子収容室から取り出すことができる。
【００１１】
前記端子の電線接続部は、電線の端末で絶縁被覆を皮剥ぎして露出させた芯線を加締める芯線バレルと、芯線の露出部に連続する絶縁被覆を加締める絶縁被覆バレルを備えた部分である。この芯線バレルによる加締め圧着部と、その後端に連続する絶縁被覆バレルによる加締め圧着部とからなる電線接続部を、本発明の端子挿入治具の凹型の端子保持部に上方から挿入して、丁度内嵌できるようにしている。なお、電線接続部に設けるバレルが１つの場合も含まれる。
【００１２】
前記端子挿入治具を用いて挿入する電線付き端子の電線は芯線断面積が０．１３ｍｍ２〜０．３５ｍｍ２の比較的細いサイズの電線である一方、該電線端末に接続する端子は電線接続部の幅方向寸法より電気接触部の幅方向寸法が大きく、前記電線サイズに対して端子が大きな場合に本発明の端子挿入治具は好適に用いられる。
【００１３】
前記のように電線が細く、端子が大きな場合は、電線端末で座屈して端子の首折れが発生しやすい。よって、端子の電線接続部および該電線接続部に連続する部分の電線を、本発明の端子挿入治具で保持すると、直線状に保持でき、電線の座屈および端子の首折れ発生を防止できる。
かつ、端子挿入治具は、端子の電線接続部の外形より僅かに大きな端子保持部と、電線の外径より僅かに大きな電線保持部を前後に連続させて備えた形状であるため、端子挿入治具に電線端末の端子をセットしても細幅で傘高にならず、電線が密集した部位でも端子挿入治具で保持して電線付き端子を端子収容室に挿入係止することが容易にできる。
【００１４】
前記端子挿入治具で保持して電線付き端子を挿入する電気接続箱は、自動車に搭載されるリレーボックス、ヒューズボックス、ジャンクションボックス等からなる。これらの電気接続箱では端子収容室の電線挿入口の外面に電線が密集している場合が多く、電線端末を作業員が把持して端子を電線挿入口より挿入することが難しい。よって、端子挿入治具に電線付き端子をセットし、該端子挿入治具の電線保持部の後端を作業員が把持して、密集した電線群の隙間に端子挿入治具を通していくことで、端子を端子収容室に確実に挿入できる。
コネクタに電線付き端子を挿入する場合、コネクタ側を簡単に移動できるため、電気接続箱の端子収容室内に端子を挿入する場合より容易となる。しかしながら、大型の多極コネクタの場合には、端子収容室の電線挿入用開口側に電線が密集しがちであるため、本発明の端子挿入治具を用いると容易に端子を挿入することができる。
【発明の効果】
【００１５】
前記のように、本発明の端子挿入治具は、凹型枠とした端子保持部と環状枠とした電線保持部を前後に一体的に連続した簡単な形状で、細幅、小型であるため、電線を保持した状態で、密集した電線群の間にスムーズに挿通して用いることができる。
【図面の簡単な説明】
【００１６】
【図１】本発明の端子挿入治具を示し、（Ａ）は斜視図、（Ｂ）は平面図である。
【図２】前記端子挿入治具の電線保持部を円筒枠に閉じた状態を示し、（Ａ）は斜視図、（Ｂ）は左側面図、（Ｃ）は正面図、（Ｄ）は平面図である。
【図３】（Ａ）は前記端子挿入治具の電線保持部の内面形状を示す断面図、（Ｂ）（Ｃ）は変形例の断面図である。
【図４】（Ａ）は端子接続前の電線の正面図、（Ｂ）は電線に端子を接続した状態の正面図、（Ｃ）は（Ｂ）の平面図である。
【図５】端子挿入治具で電線付き端子を保持した状態の平面図である。
【図６】前記電線付き端子を挿入するリレーボックスの要部断面図である。
【図７】（Ａ）は前記端子挿入治具で電線付き端子を保持して端子収容室内に挿入する動作を示す断面図、（Ｂ）は端子収容室内に端子を挿入係止した後に前記端子挿入治具を引き出す動作を示す断面図である。
【図８】端子挿入治具の変形例を示す要部斜視図である。
【図９】（Ａ）〜（Ｄ）は従来の問題点を示す図面である。
【図１０】従来例の正面図である。
【発明を実施するための形態】
【００１７】
以下、本発明の実施形態を図面を参照して説明する。
図１および図２に示すように、端子挿入治具１は、端子保持部２と電線保持部３とを前後方向に連続させて一体成形で設けている。
【００１８】
端子保持部２は、底壁２ａ、左右壁２ｂ、２ｃからなる凹型枠で、前後両端および上端が開口している。該端子保持部２の長さＸ１、幅Ｙ１、高さＺ１は後述する端子１０の電線接続部１１の長さおよび幅、さらに電線２０に圧着した状態での高さと対応させ、該電線接続部１１を端子の電線接続部１１を内嵌保持できる寸法に設定している。該端子保持部２の底壁２ｂの後端に連続して前記電線保持部３を突設している。
【００１９】
前記電線保持部３は、半円環枠からなる本体３ａの前端を端子保持部の底壁２ｂの後端に連続させている。該本体３ａの幅方向の一端縁を蓋３ｂとなる半円環枠に薄肉ヒンジ３ｃを介して開閉自在に連結している。蓋３ｂの他端側に結合片３ｄを設ける一方、本体３ａの他端円に結合片３ｄを挿入する結合枠３ｅを設けている。本体３ａに電線２０を収容した状態で蓋３ｂをかぶせて円筒枠とし、結合片３ｄを結合枠３ｅに挿入して止着するものとしている。図２（Ｂ）に示すように、電線保持部３を円筒枠とした状態で、該電線保持部３を端子保持部２の凹型枠より一回り小さい形状としている。
【００２０】
前記本体３ａに蓋３ｂをかぶせて形成する円筒枠の内径は、挿通する電線２０（図３（Ａ）に示す）の外径に相当させ、該電線保持部３内で電線２０をガタつきなく保持できるようにしている。
電線保持部３の本体３ａと蓋３ｂの内面は図３（Ａ）に示すように平滑面とし、該内面を電線２０の外周面に電線２０の絶縁被覆２２の外周面が密着する設定としている。なお、図３（Ｂ）に示すように、本体３ａと蓋３ｂの内面に凸部３ｔを設け、内部に挿通する電線２０の絶縁被覆２２の外周面に凸部３ｔを押し当てて、電線の滑りが生じないようにしている。さらに、図３（Ｃ）に示すように、本体３ａと蓋３ｂの内面に波型突起３ｍを設け、内部に挿通する電線２０の絶縁被覆２２の外周面に波型突起３ｍの頂点を押し当てて、電線の滑りが生じないようにしてもよい。
【００２１】
前記電線保持部３の長さＬ１は３ｃｍ〜１０ｃｍ、好ましくは４ｃｍ〜６ｃｍとし、作業員がしっかりと把持できる長さとしている。
【００２２】
前記電線２０の端末に圧着接続して、前記端子挿入治具１で保持する端子１０は、導電性金属板を打ち抜き加工後に折り曲げ加工して形成している。該端子１０は図４（Ｂ）（Ｃ）に示すように、前側の電気接触部１１の後端に電線接続部１２を連続させた形状である。
本実施形態では、端子１０はリレーと接続する雌型端子であり、電気接触部１１にボックス形状とした雌型接触部１１ａを設けている。該電気接触部１１の後部は幅方向の両側縁に傾斜１１ｂ、１１ｂを設けて幅狭とし、電線接続部１２の基板１２ａに連続させている。この対向する傾斜１１ｂと１１ｂ間の幅寸法より前記端子挿入治具２の端子保持部２の幅Ｙ１を小さくして、端子保持部２の前端が電気接触部１１の傾斜１１ｂ、１１ｂに当接し、前進に対してストッパーとして機能させている。
【００２３】
端子１０の電線接続部１２では、基板１２ａの幅方向の両側縁から一対の芯線バレル１３を突設し、その後側に基板１２ａの幅方向の両側縁から一対の絶縁被覆バレル１４を突設している。該電線接続部１２の長さは端子挿入治具１の端子保持部２の長さＸ１と略同等で、幅Ｙ１より僅かに小さくしている。また、芯線バレル１３を電線２０の芯線２１に加締め圧着し、絶縁被覆バレル１４を電線２０の絶縁被覆２２に加締め圧着した状態での高さを前記端子保持部２の高さＺ１と同様としている。よって、端子挿入治具１の端子保持部２に上方から端子の電線接続部１２を挿入すると、該電線接続部１２の底面および左右側面が端子保持部２の内面に密着して、電線接続部１２が端子保持部２内にガタつき無く保持されるようにしている。
【００２４】
前記端子１０を端末に圧着して取り付ける前記電線２０は、芯線２１の断面積が０．１３ｍｍ２〜０．３５ｍｍ２の比較的細いサイズの電線である。該電線２０に圧着する電気端子１０の電線接続部１２の幅は２．６〜４．６ｍｍであり、幅広となる電気接触部１１の雌型接触部１１ａの幅は５．３〜７．５ｍｍである。このように、比較的細いサイズの電線２０に対して幅広の電気接触部１１を有する端子１０を接続すると、電線２０の端末側で座屈が発生して端子１０は下向きの首折れ状態となりやすい。よって、本発明の前記端子挿入治具１で保持して、図６に示すリレーボックス３０の端子収容室３２に挿入している。
【００２５】
前記リレーボックス３０の端子収容室３２は、リレー５０の搭載部３３に連続し、リレー５０の本体５１から突出する端子５２が端子収容室３２の一端から挿入されている。該端子収容室３２の他端が端子挿入用の開口３２ｈとなり、該開口３２ｈより電線２０の端末に圧着した端子１０を端子挿入治具１で保持して挿入している。該端子収容室３２内に端子１０の電線接続部１２を内嵌保持した端子挿入治具１の端子保持部２を挿入するため、該端子保持部２の外形を端子収容室３２の内部より小さくし、容易に挿入できるようにしている。
【００２６】
図７（Ｂ）に示すように、端子収容室３２の内面からランス３３を突設し、該ランス３３を端子１０の雌型接触部１１ａの後端面に係止して、端子収容室３２内に挿入された端子１０を係止するようにしている。
【００２７】
つぎに、前記端子挿入治具１で電線２０の端末に接続した端子１０を保持してリレーボックス３０の端子収容室３２内に挿入する手順について説明する。
【００２８】
まず、図５に示すように、端子挿入治具１の端子保持部２に電線２０と圧着接続した端子１０の電線接続部１２を上方から挿入し内嵌保持する。かつ、電線２０を電線保持部３の本体３ａにセットし、蓋３ｂを閉じて止着する。この状態で、端子挿入治具１の前端から端子１０の電気接触部１１が突出し、該電気接触部１１に端子挿入治具１の前端が当接して、端子１０に対して端子挿入治具１が独立して前方へ移動するのが阻止された状態で取りつけられる。かつ、端子１０は電線２０と直線状に保持され、電線２０自体も端子接続側の前部で座屈しないように保持される。
【００２９】
ついで、図７（Ａ）に示すように、端子挿入治具１の円筒状とした電線保持部３を作業員が把握して、突出させた端子１０の電気接触部１１を端子収容室３２の開口３２ｈから挿入する。この挿入時に端子挿入治具１の端子保持部２も端子収容室３２内に挿入される。端子３が所定位置まで前進すると、ランス３３が端子１０に係止し、端子１０が後退して開口３２ｈから抜け出るのが阻止された状態で端子収容室内３２内に挿入係止される。
【００３０】
このランス３３による係止時に、端子挿入治具１の電線保持部３が端子収容室３２の開口３２ｈに位置し、該位置で端子挿入治具１の前進を停止する。
図７（Ｂ）に示すように、ランス３３で端子１０を端子収容室３２内に係止した後に、端子挿入治具１のみ電線保持部３を後側へ引っ張って引き出す。その際、端子保持部２の容積は電線２より大きいため、端子保持部２は端子収容室３２の開口３２ｈから引き出されている電線２０の外周を挿通し外部に容易に引き出すことができる。端子保持部２が外部に引き出された後、電線保持部３の蓋３ｂを本体３ａから開き、端子保持部２を電線２０より下降させることで、端子挿入治具１を電線２０より容易に取り外すことができる。
【００３１】
本発明は前記実施形態に限定されず、端子挿入治具の電線保持部３を図８に示すように、半円環枠とした本体３ａのみで形成し、蓋を省略してもよい。この場合、本体３ａに半周を嵌合した電線２０を電線保持部３と共に作業者が把持して、電線端末に接続した端子を端子収容室へ挿入することができる。
また、リレーボックスに電線付き端子を挿入する場合に限らず、コネクタの端子収容室に電線付き端子を挿入する場合にも好適に用いられる。
【符号の説明】
【００３２】
１  端子挿入治具
２  端子保持部
３  電線保持部
３ａ  本体
３ｂ  蓋
１０  端子
１１  電気接触部
１２  電線接続部
２０  電線
２１  芯線
２２  絶縁被覆
３０  リレーボックス
３２  端子収容室
３３  ランス
５０  リレー
【図１】
2015141745.tif 000003
【図２】
2015141745.tif 000004
【図３】
2015141745.tif 000005
【図４】
2015141745.tif 000006
【図５】
2015141745.tif 000007
【図６】
2015141745.tif 000008
【図７】
2015141745.tif 000009
【図８】
2015141745.tif 000010
【図９】
2015141745.tif 000011
【図１０】
2015141745.tif 000012